(57)【要約】【課題】消費電力をかけずに迅速にザッピング処理用のイントラフレームを表示させることができるデジタル放送受信装置を提供すること。【解決手段】ユーザがチャンネル選択指示部８によりチャンネルを変える指示をして異なるチャンネルの番組を受信する度に、イントラフレーム検出部４１がその番組のイントラフレームを検出して、圧縮イントラフレームメモリ３３にチャンネル毎に記憶する。そして、それと同時に、制御部６は、チャンネル選択指示部８によりチャンネルを変えられた直後で、圧縮ビデオフレームメモリ３４からビデオ伸張器４２へ選局されたチャンネルの番組の最初のイントラフレームが出力されるまでの間、圧縮イントラフレームメモリ３３に選局されたチャンネルのイントラフレームが記憶されていれば、そのイントラフレームをビデオ伸張器４２へ出力し伸張して、ビデオメモリ５を介しディスプレイ１０へ出力して表示させる。【選択図】図１
2007221509.tif 000002
【特許請求の範囲】
【請求項１】
複数のチャンネルからなるデジタル放送を受信するデジタル放送受信装置であって、
ユーザの操作に基づいて前記複数のチャンネルの選択を指示するチャネル選択指示部と、
前記チャネル選択指示部からのチャンネルの選択指示に基づき選択されたチャンネルの番組を受信するデジタル放送受信部と、
前記デジタル放送受信部が受信した番組からその番組を構成するイントラフレームを検出するイントラフレーム検出部と、
前記イントラフレーム検出部によって検出されたイントラフレームをチャンネル毎に記憶する記憶部と、
前記チャネル選択指示部からのチャンネルの選択指示に基づき前記デジタル放送受信部が選択されたチャンネルの番組を受信する際、イントラフレームが受信されるまでの間は、前記記憶部にチャンネル毎に記憶されたイントラフレームを読み出して表示させるよう制御する制御部と、
を有するデジタル放送受信装置。
【請求項２】
前記デジタル放送受信部は、さらにデジタル放送の電子番組表を受信して前記記憶部に記憶し、
前記制御部は、前記チャネル選択指示部からのチャンネルの選択指示に基づき前記デジタル放送受信部が選択されたチャンネルの番組を受信する際、イントラフレームが受信されるまでの間、前記記憶部にチャンネル毎に記憶されたイントラフレームを読み出して表示させる場合に、そのチャンネルのイントラフレームが記憶されてない場合、前記記憶部に記憶された電子番組表の対応する番組情報を読み出して表示させるよう制御する、請求項１記載のデジタル放送受信装置。
【請求項３】
前記デジタル放送受信部は、さらにデジタル放送の電子番組表を受信して前記記憶部に記憶し、
前記制御部は、前記チャネル選択指示部からのチャンネルの選択指示に基づき前記デジタル放送受信部が選択されたチャンネルの番組を受信する際、イントラフレームが受信されるまでの間、前記記憶部にチャンネル毎に記憶されたイントラフレームを読み出して表示させる場合に、そのチャンネルのイントラフレームが記憶されていても、異なる番組のイントラフレームである場合には、前記記憶部に記憶された電子番組表の対応する番組情報を読み出して表示させるよう制御する、請求項１記載のデジタル放送受信装置。
【発明の詳細な説明】
【技術分野】
【０００１】
本発明は、複数のチャンネルからなるデジタル放送を受信するデジタル放送受信装置に関する。
【背景技術】
【０００２】
従来、使用者が電源投入後などに番組を検索（選局）する際、素早いザッピング処理が行えるように、受信チャンネルの映像信号から少なくとも１フレームの映像信号を格納する映像信号メモリと、その映像信号メモリへの映像信号の書き込みおよび読み出しを制御するメモリ制御部と、受信チャンネルの映像信号と映像信号メモリから読み出された映像信号を切り替えて出力する映像信号切替部とを設け、デジタル放送番組の受信が使用者に選択されていない場合に受信チャンネル毎の映像信号を映像信号メモリに格納し、デジタル放送番組の受信が使用者に選択された場合に映像信号メモリ部に格納された映像信号を読み出して番組を使用者に選択させるようにしたデジタル放送受信装置がある（例えば、特許文献１参照）。
【０００３】
【特許文献１】特開２００４−１２８９４２号公報
【発明の開示】
【発明が解決しようとする課題】
【０００４】
しかしながら、上記従来のデジタル放送受信装置では、デジタル放送番組の受信が使用者により選択されていない場合に、受信チャンネル毎の映像信号を映像信号メモリに格納するため、消費電力がかかる、という問題がある。
【０００５】
また、デジタル放送では、画像圧縮が利用されており、１フレームのみで伸長可能なイントラフレーム信号と、すでに伸長されたフレームが存在しないと伸長できないインターフレーム信号とからデジタル放送番組のストリームを構成しているが、圧縮効率を上げるためにはイントラフレームの割合を減らしていくのが有効な手段であるが、ビデオデコーダではイントラフレームが入力されるまで画像を出力することができない。特に、携帯機器向け地上波デジタル放送である１セグメント放送においては、イントラフレームは最大５秒程度送出されない場合があり、その受信機においては、チャンネル切り替え後に５秒間画面が切り替わらない可能性がある、という問題がある。
【０００６】
本発明はかかる点に鑑みてなされたものであり、消費電力をかけずに迅速にザッピング処理用のイントラフレームを表示させることができるデジタル放送受信装置を提供することを目的とする。
【課題を解決するための手段】
【０００７】
上記課題を解決するため、本発明のデジタル放送受信装置では、複数のチャンネルからなるデジタル放送を受信するデジタル放送受信装置であって、ユーザの操作に基づいて前記複数のチャンネルの選択を指示するチャネル選択指示部と、前記チャネル選択指示部からのチャンネルの選択指示に基づき選択されたチャンネルの番組を受信するデジタル放送受信部と、前記デジタル放送受信部が受信した番組からその番組を構成するイントラフレームを検出するイントラフレーム検出部と、前記イントラフレーム検出部によって検出されたイントラフレームをチャンネル毎に記憶する記憶部と、前記チャネル選択指示部からのチャンネルの選択指示に基づき前記デジタル放送受信部が選択されたチャンネルの番組を受信する際、イントラフレームが受信されるまでの間は、前記記憶部にチャンネル毎に記憶されたイントラフレームを読み出して表示させるよう制御する制御部と、を有するものである。
【０００８】
特に、前記制御部は、前記記憶部に記憶されたイントラフレームを一定時間毎に消去する、ようにしても良い。
【０００９】
また、前記デジタル放送受信部は、さらにデジタル放送の電子番組表を受信して前記記憶部に記憶し、前記制御部は、前記チャネル選択指示部からのチャンネルの選択指示に基づき前記デジタル放送受信部が選択されたチャンネルの番組を受信する際、イントラフレームが受信されるまでの間、前記記憶部にチャンネル毎に記憶されたイントラフレームを読み出して表示させる場合に、そのチャンネルのイントラフレームが記憶されてない場合、前記記憶部に記憶された電子番組表の対応する番組情報を読み出して表示させるよう制御する、ようにしても良い。
【００１０】
また、前記デジタル放送受信部は、さらにデジタル放送の電子番組表を受信して前記記憶部に記憶し、前記制御部は、前記チャネル選択指示部からのチャンネルの選択指示に基づき前記デジタル放送受信部が選択されたチャンネルの番組を受信する際、イントラフレームが受信されるまでの間、前記記憶部にチャンネル毎に記憶されたイントラフレームを読み出して表示させる場合に、そのチャンネルのイントラフレームが記憶されていても、異なる番組のイントラフレームである場合には、前記記憶部に記憶された電子番組表の対応する番組情報を読み出して表示させるよう制御する、ようにしても良い。
【発明の効果】
【００１１】
本発明によれば、チャンネルの選択指示に基づき選択されたチャンネルの番組を受信した際、その番組を構成するイントラフレームを検出して、チャンネル毎に記憶しておき、次にそのチャンネルの番組を受信して表示する際は、その番組のイントラフレームが受信されるまでの間、記憶部にチャンネル毎に記憶されたイントラフレームを読み出して表示するので、消費電力をかけずにザッピング処理用のイントラフレームを表示させることができる。
【００１２】
また、一定時間毎に記憶部に記憶されたイントラフレームを消去するようにすれば、古くなった番組のイントラフレームは一定時間毎に消去されるので、その番組のイントラフレームが受信されるまでの間、選局した番組と異なる番組のイントラフレームを出力することを防止することができる。
【００１３】
また、最初、イントラフレームが記憶されていない場合に、予め受信して記憶しておいた電子番組表の対応する番組情報を読み出して表示させるようにすれば、最初にデジタル放送を受信して視聴する場合に、イントラフレームがまだ検出されて記憶されていな場合でも、電子番組表の番組情報により番組内容を表示することができる。
【００１４】
また、イントラフレームが記憶されていても、時間等の経過により異なる番組のイントラフレームが記憶されている場合、予め受信して記憶しておいた電子番組表の対応する番組情報を読み出して表示させるようにすれば、記憶しておいたイントラフレームと選局した番組のイントラフレームが異なるものに変わったとしても、電子番組表の番組情報に基づき正確な番組内容を表示することができる。
【発明を実施するための最良の形態】
【００１５】
実施の形態１．
図１は、本発明のデジタル放送受信装置に係る実施の形態１の構成を示すブロック図である。
【００１６】
図１において、本発明のデジタル放送受信装置に係る実施の形態１は、無線通信機能を有する携帯電話装置１００に設けられており、この携帯電話装置１００は、チューナ１、デマルチプレクサ２、メモリ３、ビデオデコーダ４、ビデオメモリ５、制御部６、音声デコーダ７、チャンネル選択指示部８、スピーカ９、ディスプレイ１０、デジタル放送受信用アンテナ１１、無線通信部２０、無線通信用アンテナ２１を有している。
【００１７】
メモリ３は、ＥＰＧメモリ３１、データメモリ３２、圧縮イントラフレームメモリ３３、圧縮ビデオフレームメモリ３４、および圧縮音声フレームメモリ３５から構成されている。また、ビデオデコーダ４は、イントラフレーム検出部４１と、ビデオ伸長器４２とから構成されている。
【００１８】
次に、この携帯電話装置１００の動作を説明する。
【００１９】
まず、この携帯電話装置１００では、通常の通話をする場合、電源を入れて、チャンネル選択指示部８により相手番号を入力すると、無線通信部２０により通話や通信を実行する。
【００２０】
一方、無線通信部２０により通話を行っていない場合、ユーザがチャンネル選択指示部８を操作して、デジタル放送の受信に切り替えると、チューナ１がデジタル放送受信用アンテナ１１を介しデジタル放送を受信して、チャンネル選択指示部８がチャンネル選択指示部として選択指示をするチャンネルの番組に切り換えて受信を行う。
【００２１】
チャンネル選択指示部８によりチャンネルを選択指示されたチャンネルの番組をチューナ１が受信すると、デマルチプレクサ２に出力され、デマルチプレクサ２が受信フレームを、圧縮音声フレーム、圧縮ビデオフレームや、その他のデータ等に分離をして、メモリ３のそれぞれ対応する圧縮音声フレームメモリ３５、圧縮ビデオフレームメモリ３４や、データメモリ３２に出力して記憶する。なお、その他のデータがない場合、データメモリ３２は不要である。
【００２２】
その際、受信フレーム等にデジタル放送の各チャンネルの番組を示す電子番組表（ＥＰＧ）が含まれており、チューナ１がデジタル放送受信用アンテナ１１を介しその電子番組表（ＥＰＧ）を受信した場合には、デマルチプレクサ２が受信フレームより、その電子番組表（ＥＰＧ）を受信して、ＥＰＧメモリ３１に記憶する。電子番組表（ＥＰＧ）は、通常の放送のものと同様であり、受信契約等に基づき受信可能なチャンネル毎に各時間帯の番組のタイトル名や、開始時間、終了時間等の番組情報が含まれている。なお、本実施の形態１では、電子番組表（ＥＰＧ）を利用しないので、ＥＰＧメモリ３１は不要で、実施の形態２で電子番組表（ＥＰＧ）を利用する。
【００２３】
圧縮音声フレームメモリ３５に圧縮音声フレームが記憶され、圧縮ビデオフレームメモリ３４に圧縮映像フレームが記憶されると、制御部６の制御に基づき、音声側と映像側との同期がとられながら、音声デコーダ７がその圧縮音声フレームをデコードしてスピーカ９より音声を出力する一方、ビデオデコーダ４のビデオ伸張器４２が圧縮音声フレームをデコードしてビデオメモリ５を介しディスプレイ１０へ映像を出力する。
【００２４】
これにより、この携帯電話装置１００のユーザは、スピーカ９およびディスプレイ１０を介して、チャンネル選択指示部８により選局したチャンネルの番組を視聴することができる。
【００２５】
その際、本実施の形態１では、制御部６の制御により、ビデオデコーダ４のイントラフレーム検出部４１が圧縮ビデオフレームメモリ３４からビデオ伸張器４に出力されるイントラフレームを検出する。なお、イントラフレームの検出は、フレームのヘッダに設けられた符号化方法識別情報などに基づき判断をしても良いし、ビデオ伸張器４２でのデコードの際の結果を用いても良い。
【００２６】
イントラフレーム検出部４１は、圧縮ビデオフレームメモリ３４からビデオ伸張器４に出力されるイントラフレームを検出すると、検出したイントラフレームを圧縮イントラフレームメモリ３３にてチャンネル毎に記憶する。なお、メモリ容量削減の観点から、イントラフレームは、チャンネル毎に上書き記録するようにする。
【００２７】
このようにしてユーザがチャンネル選択指示部８により、チャンネルを変える指示をして異なるチャンネルの番組を受信する度に、イントラフレーム検出部４１がその番組のイントラフレームを検出して、圧縮イントラフレームメモリ３３に上書き記録等でチャンネル毎に記憶していく。例えば、携帯機器向け地上波デジタル放送である１セグメント放送においては、イントラフレームは最大５秒程度送出されない場合があるので、ユーザがこの携帯電話装置１００により１０チャンネル分の全ての番組を一度５秒以上視聴した場合は、１セグ放送であっても、１０チャンネル分の最新視聴番組のイントラフレームが圧縮イントラフレームメモリ３３に記憶されることになる。
【００２８】
なお、日が変わったり、時間が変わったりすると、同一チャンネルでも番組が異なることになり、番組が変わっても、前の番組のイントラフレームを記憶していては、異なる映像をディスプレイ１０に表示することになるので、制御部６は、３０分毎や、１時間毎、２時間毎、さらには日にちが変わる２４時間毎等の一定時間毎に圧縮イントラフレームメモリ３３に記憶した各チャンネルのイントラフレームをクリア（消去）する。
【００２９】
そして、ユーザがザッピング等によりチャンネルを変え、その各チャンネルのイントラフレームの検出および記憶と同時に、制御部６は、圧縮ビデオフレームメモリ３４から選択されたチャンネルの番組を構成するイントラフレームがビデオ伸張器４２に出力されるか否かを、イントラフレーム検出部４１の検出状況により判断をする。
【００３０】
ここで、ユーザがザッピング等を行い、チャンネル選択指示部８によりチャンネルを変えられた直後で、圧縮ビデオフレームメモリ３４からビデオ伸張器４２へ選局されたチャンネルの番組の最初のイントラフレームが出力されるまで時間が空く場合がある。
【００３１】
そこで、制御部６は、その最初のイントラフレームが出力されるまでの間、圧縮イントラフレームメモリ３３に選局されたチャンネルのイントラフレームが記憶されていない場合や、一定時間経過をして記憶されたイントラフレームが消去されていた場合は、そのまま圧縮ビデオフレームメモリ３３からのインターフレームをビデオ伸張器４２へ出力して伸張させて、ビデオメモリ５を介しディスプレイ１０へ出力して表示させる。従って、このように最初にデジタル放送を受信する場合や、圧縮イントラフレームメモリ３３をクリアする一定時間の周期以上に時間が経過してデジタル放送を受信する場合には、選局されたチャンネルの番組の最初のイントラフレームが出力されるまでの間、例えば、携帯機器向け地上波デジタル放送である１セグメント放送においては、イントラフレームは最大５秒程度、ディスプレイ１０に映像が表示されない場合が起こりえる。
【００３２】
これに対し、チャンネルを変えられた直後で、圧縮ビデオフレームメモリ３４からビデオ伸張器４２へ選局されたチャンネルの番組の最初のイントラフレームが出力されるまでの間、圧縮イントラフレームメモリ３３に選局されたチャンネルのイントラフレームが記憶されていれば、制御部６は、そのイントラフレームをビデオ伸張器４２へ出力し伸張させて、ビデオメモリ５を介しディスプレイ１０へ出力して表示させる。
【００３３】
これにより、選局されたチャンネルの番組の最初のイントラフレームが出力されるまでの間、圧縮イントラフレームメモリ３３に記憶されているそのチャンネルのイントラフレームがディスプレイ１０に表示されるので、チャンネル選択指示部８によりチャンネルを変えられた直後で、イントラフレームが受信されない場合でも、そのチャンネルで最近に受信したイントラフレームをディスプレイ１０へ出力して表示させることができる。その結果、特に、携帯機器向け地上波デジタル放送である１セグメント放送においては、イントラフレームは最大５秒程度送出されない場合があっても、その受信機においては、チャンネル切り替え後に５秒間画面が切り替わらないということを防止することができる。
【００３４】
従って、本実施の形態１のデジタル放送受信装置によれば、チャンネルの選択指示に基づき選択されたチャンネルの番組を受信した際、その番組を構成するイントラフレームをイントラフレーム検出部４１が検出して、チャンネル毎に圧縮イントラフレームメモリ３３に記憶しておき、次にそのチャンネルの番組を受信して表示する際は、その番組のイントラフレームが受信されるまでの間、圧縮イントラフレームメモリ３３にチャンネル毎に記憶されたイントラフレームを読み出して表示するので、消費電力をかけずにザッピング処理用のイントラフレームを迅速に表示させることができる。
【００３５】
これにより、ユーザは、画像がなかなか切り替らないことにストレスを感じたり、あるいはチャネルが切り替わらなかったと勘違いする起こすことを防止することが可能になる。
【００３６】
なお、本実施の形態１では、本発明に係るデジタル放送受信装置を、無線通信機能を有する携帯電話装置１００内に設けて説明したが、本発明では、これに限らず、無線通信機能を有さない通常のデジタル放送受信機に適用しても勿論かまわない。
【００３７】
実施の形態２．
上記実施の形態１では、圧縮イントラフレームメモリ３３に選局されたチャンネルのイントラフレームが記憶されていない場合や、一定時間経過をして消去された場合は、選局されたチャンネルの番組の最初のイントラフレームが出力されるまでの間、ディスプレイ１０に映像が表示されない場合が起こりえるが、本実施の形態２では、これを解決したものである。なお、構成自体は、図１に示す実施の形態１のものと同じであるので、図１を用いて説明する。
【００３８】
本実施の形態２では、圧縮イントラフレームメモリ３３に選局されたチャンネルのイントラフレームが記憶されていない場合や、一定時間経過をして消去された場合、選局されたチャンネルの番組の最初のイントラフレームが出力されるまでの間、制御部６は、ＥＰＧメモリ３１に記憶されている電子番組表（ＥＰＧ）より、選局されたチャンネルの番組の番組情報を読み出して、ビデオメモリ５を介しディスプレイ１０へ出力して表示する。
【００３９】
なお、選局されたチャンネルの番組の番組情報を読み出しは、現在時刻やチャンネル選択指示部８にて選択されたチャンネルに基づいて、電子番組表（ＥＰＧ）のチャンネル情報や開始時刻情報などを参照して、簡単に読み出すことができる。また、電子番組表（ＥＰＧ）の受信は、チューナ１でなく、他の処理部、例えば、無線通信部２０がメール通信やインターネット等を介してダウンロードする形態でも勿論かまわない。
【００４０】
従って、本実施の形態２のデジタル放送受信装置によれば、上記実施の形態１のデジタル放送受信装置の効果に加え、圧縮イントラフレームメモリ３３に選局されたチャンネルのイントラフレームが記憶されていない場合や、一定時間経過をして消去された場合には、その番組のイントラフレームが受信されるまでの間、予め受信して記憶しておいた電子番組表（ＥＰＧ）の対応する番組情報を読み出して表示するので、ザッピング等の際にディスプレイ１０に何も表示されていないことや、同一チャンネルでも異なる番組の映像を表示することを有効に防止することができる。
【００４１】
実施の形態３．
上記実施の形態２では、圧縮イントラフレームメモリ３３に選局されたチャンネルのイントラフレームが記憶されていない場合や、一定時間経過をして消去された場合は、選局されたチャンネルの番組の最初のイントラフレームが出力されるまでの間、予め受信して記憶しておいた電子番組表（ＥＰＧ）の対応する番組情報を読み出して表示するようにしたが、圧縮イントラフレームメモリ３３に選局されたチャンネルのイントラフレームが記憶されていても、圧縮イントラフレームメモリ３３をクリアにする時間間隔が長過ぎる等して、選局した番組と異なる場合があり、この場合には、選局した番組と異なる番組のイントラフレームをディスプレイ１０に表示してしまうことになる。本実施の形態３では、これを解決したものである。なお、構成自体は、図１に示す実施の形態１のものと同じであるので、図１を用いて説明する。
【００４２】
つまり、本実施の形態３では、チャンネル選択指示部８からのチャンネルの選択指示に基づきあるチャンネルの番組を受信して、そのイントラフレームが受信されるまでの間、圧縮イントラフレームメモリ３３に選局されたチャンネルのイントラフレームが記憶されていても、選局した番組と異なる番組のイントラフレームである場合、制御部６は、ＥＰＧメモリ３１に記憶されている電子番組表（ＥＰＧ）より、選局されたチャンネルの番組の番組情報を読み出して、ビデオメモリ５を介しディスプレイ１０へ出力して表示する。
【００４３】
従って、本実施の形態３のデジタル放送受信装置によれば、上記実施の形態１，２のデジタル放送受信装置の効果に加え、圧縮イントラフレームメモリ３３に選局したチャンネルのイントラフレームが記憶されていても、異なる番組のイントラフレームである場合、予め受信して記憶しておいた電子番組表の対応する番組情報を読み出して表示させるので、圧縮イントラフレームメモリ３３をクリアにする時間間隔が長過ぎる等して、記憶しておいたイントラフレームと選局した番組のイントラフレームが異なるものに変わったとしても、電子番組表の番組情報に基づき正確な番組内容を表示することができる。
【産業上の利用可能性】
【００４４】
本発明に係るデジタル放送受信装置は、チャンネルの選択指示に基づき選択されたチャンネルの番組を受信した際、その番組を構成するイントラフレームを検出して、チャンネル毎に記憶しておき、次にそのチャンネルの番組を受信して表示する際は、その番組のイントラフレームが受信されるまでの間、記憶部にチャンネル毎に記憶されたイントラフレームを読み出して表示するので、消費電力をかけずにザッピング処理用のイントラフレームを表示させることができるという効果を有し、例えば、イントラフレームは最大５秒程度送出されない携帯機器向け地上波デジタル放送である１セグメント放送のデジタル放送受信装置や、１セグメント放送のデジタル放送受信機能を有する携帯電話装置に有用である。
【図面の簡単な説明】
【００４５】
【図１】本発明のデジタル放送受信装置に係る実施の形態１の構成を示すブロック図である。
【符号の説明】
【００４６】
１００  携帯電話装置（デジタル放送受信装置）
１  チューナ（デジタル放送受信部）
２  デマルチプレクサ
３  メモリ（記憶部）
４  ビデオデコーダ
４１  イントラフレーム検出部
５  ビデオメモリ
６  制御部
７  音声デコーダ
８  チャンネル選択指示部
９  スピーカ
１０  ディスプレイ
１１  デジタル放送受信用アンテナ
２０  無線通信部
２１  無線通信用アンテナ
【図１】
2007221509.tif 000003